(57)【特許請求の範囲】
【請求項１】
マクロセル内に含まれる小セルへのハンドオーバについてのネットワークポリシを含む制御メッセージをマクロセル基地局から受信し、小セルでの受信品質測定のためのパイロットチャネル信号と同期のための同期チャネル信号を小セル基地局から受信する受信部と、
前記マクロセル内に含まれる小セルのうちアクセス可能な小セルを示すリストを記憶する記憶部と、
前記ネットワークポリシを受信した場合に、前記リストに含まれるアクセス可能な小セルに関する情報から、前記小セルが位置的にアクセス可能であるか否かを判定する判定部と、
前記判定部の判定結果である前記小セルが位置的にアクセス可能であるか否かに関する情報を含んだ、前記マクロセル基地局に通知するためのレポートを作成する測定レポート作成部と、
前記作成したレポートを前記マクロ基地局へ送信する送信部と、
を有する無線送受信装置。
【請求項２】
前記記憶部が、アクセス可能な小セルの物理セルＩＤを記憶し、
前記判定部が、前記受信した前記同期チャネル信号から取得される小セルの物理セルＩＤが前記リストに含まれるか否かにより、前記小セルが位置的にアクセス可能であるか否かを判定する、請求項１に記載の無線送受信装置。
【請求項３】
前記ネットワークポリシが、前記マクロセル基地局が小セルへのハンドオーバをサポートしていることである、請求項１または２に記載の無線送受信装置。
【請求項４】
前記測定レポート作成部が、前記小セルの受信品質と、前記小セルの物理セルＩＤを含んだレポートを作成する、請求項２または３に記載の無線送受信装置。
【請求項５】
無線送受信装置において実行される無線送受信方法であって、
マクロセル内に含まれる小セルへのハンドオーバについてのネットワークポリシを含む制御メッセージをマクロセル基地局から受信し、小セルでの受信品質測定のためのパイロットチャネル信号と同期のための同期チャネル信号を小セル基地局から受信し、
前記マクロセル内に含まれる小セルのうちアクセス可能な小セルを示すリストを記憶し、
前記ネットワークポリシを受信した場合に、前記リストに含まれるアクセス可能な小セルに関する情報から、前記小セルが位置的にアクセス可能であるか否かを判定し、
前記判定部の判定結果である前記小セルが位置的にアクセス可能であるか否かに関する情報を含んだ、前記マクロセル基地局に通知するためのレポートを作成し、
前記作成したレポートを前記マクロ基地局へ送信する無線送受信方法。
【請求項６】
アクセス可能な小セルの物理セルＩＤを記憶し、
前記受信した前記同期チャネル信号から取得される小セルの物理セルＩＤが前記リストに含まれるか否かにより、前記小セルが位置的にアクセス可能であるか否かを判定する、請求項５に記載の無線送受信方法。
【請求項７】
前記ネットワークポリシが、前記マクロセル基地局が小セルへのハンドオーバをサポートしていることである、請求項５または６に記載の無線送受信方法。
【請求項８】
前記小セルの受信品質と、前記小セルの物理セルＩＤを含んだレポートを作成する、請求項６または７に記載の無線送受信方法。
【発明の詳細な説明】
【技術分野】
【０００１】
本発明は、無線通信システムを構成する端末装置や基地局装置で用いられる無線送受信装置および方法に関し、特にマクロセルからＣＳＧセルへのハンドオーバ技術に関する。
【背景技術】
【０００２】
従来、基地局と端末装置との間で無線通信を行うネットワークシステムとして、ＬＴＥ（Long Term Evolution）システムが知られている。ＬＴＥシステムは、ＵＭＴＳ（Universal Mobile Telecommunications System）から進化した次世代移動通信システムであり、より向上した移動通信サービスの提供を目標としている。
【０００３】
このＬＴＥでは、主に屋外に設置されるセル半径の大きなマクロセル無線通信基地局装置（Evolved NodeB：ｅＮＢ）に加えて、家庭やオフィス、レストランやショッピングセンターなどの屋内施設に、フェムトセル（Femto Cell）と呼ばれる数十メートル程度のセル半径の小セル無線通信基地局装置を設置することが検討されている。３ＧＰＰ（3rd Generation Partnership Project）で検討されている小セル無線通信基地局装置には、限られたグループメンバにだけアクセスを許可するものがある。このようなセルは限定加入者グループ（Closed Subscriber Group：ＣＳＧ）セルと呼ばれる。また、ＣＳＧセルを形成する無線通信基地局装置は、ホームｅＮＢ（Home Evoled NodeB：ＨｅＮＢ）と呼ばれる。例えば、マクロｅＮＢは２つ以上の異なる周波数帯を管理することができ、ホームｅＮＢは周波数ｆ１上に位置する場合がある。
【０００４】
アクセスが許可された無線通信端末装置（User Equipment：ＵＥ）は、ホームｅＮＢに接続するようにネットワークから制御される。すなわち、ＣＳＧセルのエリアに入った場合、ｅＮＢからの電波を受信できたとしても、ホームｅＮＢに優先的に接続するよう制御される。端末がアクセスを許可されているＣＳＧセルのリストは、ホワイトリスト（whitelist）と呼ばれる。端末装置は、各端末ごとに独自のホワイトリストを保持している。
【０００５】
つぎに、従来のＬＴＥにおけるマクロｅＮＢからホームｅＮＢへのＵＥのハンドオーバ制御方法について説明する（例えば、特許文献１および非特許文献１参照）。
【０００６】
通常、アクティブ状態のＵＥは、接続されたｅＮＢから個別制御チャネル（Dedicated Control Channel: DCCH）によって測定制御メッセージ（以下、「メジャメントコントロールメッセージ」という）を受信する。メジャメントコントロールメッセージは、現在のセル及び隣接セルの受信品質測定に関する設定である。メジャメントコントロールメッセージは、例えば、測定する対象の周波数やシステム、測定レポートを基地局に送るトリガとなるイベント情報、測定に用いる信号、測定を実行する期間（gap）などのパラメータを含む。UEはメジャメントコントロールメッセージによる設定に従って、隣接セルのパイロットチャネル（Common Pilot Channel：ＣＰＩＣＨ）によって受信品質を測定し、その受信品質測定結果を定期的に、または、設定されたイベント毎にｅＮＢに報告（メジャメントレポート）を送信する。
【０００７】
ここで、ＵＥがＣＳＧセルの境界付近に移動した場合を想定する。ＵＥはＣＳＧセルの受信品質測定を行って、その際に、同期チャネル（Synchronization Channel：ＳＣＨ）の受信によってＣＳＧセルの物理セルＩＤ（Physical Cell Identify: ＰＣＩ）を取得する。具体的には、Ｐ−ＳＣＨ（Primary Synchronization Channel）の信号パターンと、Ｓ−ＳＣＨ（Secondary Synchronization Channel）から求められる（Ｓ１，Ｓ２）または（Ｓ２，Ｓ１）のペアのパターンとの組み合わせによって、５１０のＰＣＩのから１つのＰＣＩが決定される。そして、ＵＥは受信品質測定を行ったＣＳＧセルのＰＣＩ及び受信品質測定結果を、マクロｅＮＢへ通知する。
【０００８】
このマクロｅＮＢは、マクロセル内に含まれるＣＳＧセルのリストを保持しており、ＣＳＧセルのリストには、各ホームｅＮＢのＰＣＩ及び、セルグローバルＩＤ（Cell Global Identify: ＣＧＩ）が含まれている。ＵＥから通知されたＣＳＧセルの受信品質測定結果を受信したマクロｅＮＢは、マクロセル内に含まれるＣＳＧセルのリストから、対応するＰＣＩを持つホームｅＮＢを判別し、移動管理エンティティ（Mobility Management Entity：ＭＭＥ）／ゲートウェイ（Gateway：ＧＷ）を介して、ホームｅＮＢに対してＵＥがハンドオーバしても良いかどうかの問い合わせ（ＨＯリクエスト）を送信する。ＨＯリクエストを受信したホームｅＮＢは、ＵＥのハンドオーバを許可する場合、ＵＥに提供しているサービスに見合った無線リソースを予め確保し、受け入れ制御を行い、マクロｅＮＢに対してＵＥのハンドオーバを許可する応答（ＨＯリクエストに対するＡｃｋ）を、ＭＭＥ／ＧＷを介して送信する。
【０００９】
マクロｅＮＢは、ホームｅＮＢからのＨＯリクエストに対するＡｃｋを受信すると、ＵＥに対してＣＳＧセルに移動するように指示（ＨＯコマンド）を送信し、ＵＥは指示されたホームｅＮＢとの同期を確立するために、ランダムアクセスプリアンブル（RACH preamble）を送信する。その後、ホームｅＮＢからの応答（ランダムアクセスレスポンス：RACH response）を受信すると、ＵＥはホームｅＮＢとの同期を確立し、上り方向送信機会をホームｅＮＢから割り当てられる。同期が確率すると、ＵＥはハンドオーバの完了を示す信号（ＨＯコンファーム）をホームｅＮＢに対して送信する。
【先行技術文献】
【特許文献】
【００１０】
【特許文献１】特開２００７−２６６７３２号公報
【非特許文献】
【００１１】
【非特許文献１】3GPP TS36.331 v8.3.0 “Evolved Universal Terrestrial Radio Access (E-UTRA) Radio Resource Control (RRC)”
【発明の概要】
【発明が解決しようとする課題】
【００１２】
しかしながら、従来のハンドオーバ制御方法では、ＵＥはＣＳＧセルのＰＣＩのみを参照して測定レポートをｅＮＢに報告するので、例えばマクロセル内に同一のＰＣＩを使用するＣＳＧセルが複数存在する場合、マクロｅＮＢがＵＥからの測定レポートを受けて、複数のホームｅＮＢに対してＨＯリクエストを送信してしまうことがある。このような場合には、実際にＵＥが受信品質測定を行ったホームｅＮＢとは異なるホームｅＮＢに対する無駄なシグナリングが発生することになるという問題がある。また、ＨＯリクエストを受信したホームｅＮＢ（実際にＵＥが受信品質測定を行ったホームｅＮＢとは異なるホームｅＮＢ）が、ＵＥのための不要なリソースを確保することになるという問題がある。
【００１３】
本発明は、上記従来の問題を解決するためになされたもので、マクロセル内に同一のＰＣＩを使用するＣＳＧセルが複数存在する場合であっても、無駄なシグナリングが発生するのを抑え、不要なリソースが確保されるのを防ぐことのできる無線送受信装置を提供することを目的とする。
【課題を解決するための手段】
【００１４】
本発明の無線送受信装置は、マクロセル内に含まれる小セルへのハンドオーバの指示をマクロセル基地局から受信し、小セルでの受信品質測定のためのパイロットチャネル信号と同期のための同期チャネル信号を小セル基地局から受信する受信部と、前記マクロセル内に含まれる小セルのうちアクセス可能な小セルを示すリストを記憶する記憶部と、受信した前記同期チャネルから取得される小セルの物理セルＩＤと前記リストに基づいて、ハンドオーバ先の小セルがアクセス可能であるか否かを判定する判定部と、前記パイロットチャネル信号を用いた受信品質測定の結果を示す測定レポートに、前記同期チャネルから取得されるセルＩＤであって信号受信中の小セルを示す物理セルＩＤと、前記マクロセル内に含まれる小セルを一意に識別するためのセルＩＤであってアクセス可能であると判定された前記ハンドオーバ先の小セルを示す固有セルＩＤとを付加する測定レポート作成部と、前記測定レポートを前記マクロセル基地局へ送信する送信部と、を備えた構成を有している。
【００１５】
この構成により、受信品質の測定レポートに、信号受信中の小セル（ＣＳＧセルなど）の物理セルＩＤ（ＰＣＩなど）だけでなく、ハンドオーバ先の小セルの固有セルＩＤ（ＣＧＩなど）が付加される。したがって、例えば、マクロセル内に同一のＰＣＩを使用するＣＳＧセルが複数存在する場合であっても、アクセス可能なＣＳＧセル（ハンドオーバ先のＣＳＧセル）をＣＧＩによって特定することができる。これにより、アクセス不可能なＣＳＧセルのホームｅＮＢに対して無駄なシグナリングが行われるのを抑えることができ、不要なリソースが確保されるのを防ぐことができる。
【発明の効果】
【００１６】
本発明は、信号受信中の小セルの物理セルＩＤだけでなくハンドオーバ先の小セルの固有セルＩＤを測定レポートに付加することにより、無駄なシグナリングが行われるのを抑えることができ、不要なリソースが確保されるのを防ぐことができるという効果を有する無線送受信装置を提供することができるものである。
【図面の簡単な説明】
【００１７】
【図１】第１の実施の形態における端末装置の構成を示すブロック図
【図２】第１の実施の形態におけるセル配置の説明図
【図３】第１の実施の形態における基地局装置の構成を示すブロック図
【図４】第１の実施の形態における無線通信システムの動作説明のためのシーケンス図
【図５】第１の実施の形態における端末装置の動作説明のためのフロー図
【図６】第１の実施の形態における基地局装置の動作説明のためのフロー図
【図７】第２の実施の形態における端末装置の構成を示すブロック図
【図８】第２の実施の形態における基地局装置の構成を示すブロック図
【図９】第２の実施の形態における無線通信システムの動作説明のためのシーケンス図
【図１０】第２の実施の形態における無線通信システムの動作説明のためのシーケンス図
【図１１】第２の実施の形態における端末装置の動作説明のためのフロー図
【図１２】第３の実施の形態における端末装置の構成を示すブロック図
【図１３】第３の実施の形態における基地局装置の構成を示すブロック図
【図１４】第３の実施の形態における無線通信システムの動作説明のためのシーケンス図
【図１５】第３の実施の形態における端末装置の動作説明のためのフロー図
【図１６】第４の実施の形態における端末装置の構成を示すブロック図
【図１７】第４の実施の形態における基地局装置の構成を示すブロック図
【図１８】第４の実施の形態における無線通信システムの動作説明のためのシーケンス図
【図１９】第４の実施の形態における端末装置の動作説明のためのフロー図
【発明を実施するための形態】
【００１８】
以下、本発明の実施の形態の無線通信システムについて、図面を用いて説明する。本実施の形態の無線通信システムには、無線送受信機能を備えた端末装置（携帯電話機やＰＤＡ装置など）と、無線送受信機能を備えた基地局装置が含まれる。この端末装置や基地局装置は、無線送受信装置であるともいえる。
【００１９】
（第１の実施の形態）
本発明の第１の実施の形態の無線通信システムについて、図１〜図６を用いて説明する。図１は、本実施の形態の端末装置１の構成を示すブロック図であり、図２は、本実施の形態におけるセル配置の説明図であり、図３は、本実施の形態の基地局装置２の構成を示すブロック図である。
【００２０】
ここでは、まず、図２を参照して、本実施の形態のセル配置について説明する。図２の例では、マクロｅＮＢが２つの異なる周波数帯（ｆ１、ｆ２）のマクロセルを管理し、２つのホームｅＮＢ（ＨｅＮＢ１およびＨｅＮＢ２）が管理するＣＳＧセルはいずれも周波数ｆ１のマクロセル上に位置している。そして、この２つのＣＳＧセルのＰＣＩはいずれも「ＰＣＩ＃２」であり、両者のＰＣＩは同一である。つまり、この場合、１つのマクロセル内に、同一のＰＣＩを使用する２つのＣＳＧセルが存在しているともいえる。なお、２つのＣＳＧセルのＣＧＩはそれぞれ「ＣＧＩ＃３」と「ＣＧＩ＃６」であり、両者のＣＧＩは異なっている。ここでは、マクロｅＮＢが、本発明のマクロセル基地局に相当する。また、ＣＳＧセルが、本発明の小セルに相当し、ホームｅＮＢが、本発明の小セル基地局に相当する。そして、ＰＣＩが、本発明の物理セルＩＤに相当し、ＣＧＩが、本発明の固有セルＩＤに相当する。
【００２１】
つぎに、図１のブロック図を参照して、本実施の形態の端末装置１の構成について説明する。図１に示すように、端末装置１（ＵＥ）は、受信部１０と、ＰＣＩ取得部１１と、ホワイトリスト記憶部１２と、判定部１３と、測定部１４と、測定レポート作成部１５と、送信部１６を備えている。
【００２２】
受信部１０は、ＣＧＩセルの受信品質測定のためのパイロットチャネルやＰＣＩ取得のための同期チャネルをホームｅＮＢから受信し、ハンドオーバコマンド（ＨＯコマンド）などをマクロｅＮＢから受信する。
【００２３】
ＰＣＩ取得部１１は、受信部１０から入力される同期チャネルの情報からＰＣＩを取得し、取得したＰＣＩを判定部１３及び測定レポート作成部１５に出力する。ホワイトリスト記憶部１２は、端末装置１がアクセスを許可されたＣＳＧセルのＰＣＩとＣＧＩのリスト（ホワイトリスト）を記憶する。このホワイトリストの情報は、判定部１３に出力される。
【００２４】
判定部１３は、ＰＣＩ取得部１１から入力されたＰＣＩと、ホワイトリスト記憶部１２から入力された情報に基づいて、端末装置１がアクセス可能なＣＳＧセル（端末装置１がアクセス可能なＣＳＧセル）のＣＧＩを割り出し、測定レポート作成部１５に出力する。また、測定部１４は、受信部１０から入力されたパイロットチャネルに基づいて受信品質を測定し、その結果を測定レポート作成部１５に出力する。
【００２５】
測定レポート作成部１５は、ＰＣＩ取得部１１から入力されたＰＣＩと、判定部１３から入力されたＣＳＧセルのＣＧＩ（端末装置１が行きたいＣＳＧセルのＣＧＩ）と、測定部１４から入力されたセルの受信品質に基づいて、測定レポートを作成する。作成した測定レポートは、送信部１６に出力される。送信部１６は、測定レポート作成部１５から入力された測定レポートを、アンテナを介してマクロｅＮＢに送信する。
【００２６】
つづいて、図３のブロック図を参照して、本実施の形態の基地局装置２の構成について説明する。図３に示すように、基地局装置２（マクロｅＮＢ）は、送信部２０と、受信部２１と、ＣＳＧセルリスト記憶部２２と、判定部２３と、ＨＯリクエスト生成部２４を備えている。
【００２７】
送信部２０は、ＨＯリクエスト生成部２４から入力されたＨＯリクエストを端末装置１に送信する。受信部２１は、端末装置１から測定レポートを受信する。また、この受信部２１は、ＭＭＥ／ＧＷからマクロセル内に含まれるＣＧＩセルのリストなどを受信する。ＣＳＧセルリスト記憶部２２は、受信部２１から入力されたＭＭＥ／ＧＷからのＣＳＧセルリストを記憶する。このＣＳＧセルリストの情報は、判定部２３に入力される。
【００２８】
判定部２３は、受信部２１から出力された端末装置１からの測定レポートと、ＣＳＧセルリスト記憶部２２から出力されたＣＳＧセルリストを比較して、端末装置１からの測定レポートに含まれるＰＣＩに該当するＣＳＧセルをリストから抽出し、該当するＣＳＧセルに対するＨＯリクエストの作成指示を、ＨＯリクエスト生成部２４に出力する。ＨＯリクエスト生成部２４は、判定部２３からの指示を受けて、ＨＯリクエストを生成し、送信部２０に出力する。
【００２９】
以上のように構成された無線通信システムについて、図４〜図６を用いてその動作を説明する。
【００３０】
ここでは、まず、本発明の特徴的な動作として、図２に示すようなセル配置の場合に、マクロセルにキャンプオンしている端末装置１がＰＣＩが同一の２つのＣＳＧセルのうちの一方（ＨｅＮＢ１のＣＳＧセル「ＰＣＩ＃２、ＣＧＩ＃３」）にハンドオーバするときのシステム全体の動作（シグナリング）について説明する。
【００３１】
図４は、本実施の形態の無線通信システムの動作の流れを示すシーケンス図である。図４に示すように、端末装置１は、ホームｅＮＢ１の受信品質測定を行い（Ｓ１）、ＰＣＩ（ここでは、ＰＣＩ＃２）を取得する。端末装置１は、受信品質測定を行ったホームｅＮＢ１のＰＣＩと、そのＰＣＩに対応するアクセス可能なＣＳＧセル（行きたいＣＳＧセル）のＣＧＩ（ここではＣＧＩ＃３）を、受信品質の測定結果に付加し、その測定レポートＭＲ（ＰＣＩ＃２、ｉｆ  ＣＧＩ＃３）を基地局装置２（マクロｅＮＢ）へ通知する（Ｓ２）。
【００３２】
基地局装置２（マクロｅＮＢ）は、マクロセル内に含まれるＣＳＧセルのリストから、端末装置１から通知された「ＰＣＩ」及び「ｉｆ  ＣＧＩ」を持つホームｅＮＢ（ここではホームｅＮＢ１）を判別し、移動管理エンティティ（Mobility Management Entity：ＭＭＥ）／ゲートウェイ（Gateway：ＧＷ）を介して、ホームｅＮＢ１に対してＨＯリクエストを送信する（Ｓ３）。ＨＯリクエストを受信したホームｅＮＢ１は、端末装置１のハンドオーバを許可する場合、端末装置１に提供しているサービスに見合った無線リソースを予め確保し、受け入れ制御を行い、基地局装置２（マクロｅＮＢ）に対してＨＯリクエストに対するＡｃｋを、ＭＭＥ／ＧＷを介して送信する（Ｓ４）。
【００３３】
基地局装置２（マクロｅＮＢ）は、ホームｅＮＢ１からのＨＯリクエストに対するＡｃｋを受信すると、端末装置１に対してＣＳＧセル１に移動するように指示するＨＯコマンドを送信し（Ｓ５）、端末装置１は、指示されたホームｅＮＢにランダムアクセスプリアンブルを送信する（Ｓ６）。ホームｅＮＢからランダムアクセスレスポンスが送信されて（Ｓ７）、同期が確立された後、端末装置１は、ＨＯコンファームをホームｅＮＢ１に対して送信する（Ｓ８）。
【００３４】
つぎに、無線通信システムの各構成（端末装置１と基地局装置２）の動作について説明する。
【００３５】
図５は、本実施の形態の端末装置１の動作の流れを示すフロー図である。図５に示すように、端末装置１は、ホームｅＮＢからパイロットチャネルと同期チャネルを受信し（Ｓ１０）、そのホームｅＮＢのパイロットチャネルの受信品質測定を行う（Ｓ１１）。そして、その同期チャネルから取得したＰＣＩと、ホワイトリストに基づいて、ハンドオーバ先のＣＳＧセルがアクセス可能であるか否か（行きたいＣＳＧセルであるか否か）を判定する。この判定は、例えば、ホワイトリストに含まれるホームｅＮＢのＰＣＩを持つＣＳＧセルが、最も受信品質のよいベストセルだった場合に（Ｓ１２）、ホワイトリストから、ＰＣＩに対応するＣＳＧセルのＣＧＩを抽出する（Ｓ１３）ことによって行われる。そして、端末装置１は、アクセス可能なＣＳＧセルのＣＧＩ（ｉｆ  ＣＧＩ）を付加した測定レポートを作成し（Ｓ１４）、その測定レポートを基地局装置２（マクロｅＮＢ）に送信する（Ｓ１５）。その後、基地局装置２（マクロｅＮＢ）からＨＯコマンドを受信すると（Ｓ１６）、そのホームｅＮＢへのハンドオーバが実行される（Ｓ１７）。
【００３６】
図６は、本実施の形態の基地局装置２の動作の流れを示すフロー図である。図６に示すように、基地局装置２（マクロｅＮＢ）は、端末装置１からホームｅＮＢでの受信品質測定の測定レポートを受信すると（Ｓ２０）、その測定レポートに付加されている「ＰＣＩ」と「ｉｆ  ＣＧＩ」に基づいて、ハンドオーバ先のホームｅＮＢに対するＨＯリクエストを作成し（Ｓ２１）、そのＨＯリクエストを、ＭＭＥ／ＧＷを介してホームｅＮＢに送信する（Ｓ２２）。そして、基地局装置２（マクロｅＮＢ）は、ＨＯリクエストに対する応答（ＨＯリクエストＡｃｋ）を、ＭＭＥ／ＧＷを介してホームｅＮＢから受信すると（Ｓ２３）、そのＨＯリクエストＡｃｋに基づいて、ホームｅＮＢへのＨＯコマンドを端末装置１に送信する（Ｓ２４）。
【００３７】
このような第１の実施の形態の無線通信システムによれば、基地局装置２（マクロｅＮＢ）は、端末装置１が希望するＣＧＩ（ｉｆ  ＣＧＩ）を持つホームｅＮＢをリストから探してＨＯリクエストを送信するため、同一ＰＣＩを持つ複数のホームｅＮＢに対する無駄なシグナリングを減らすことができ、それらのホームｅＮＢにおける不要なリソースの確保を削減することができる。
【００３８】
すなわち、本実施の形態では、端末装置１からの測定レポートに対して、基地局装置２（マクロｅＮＢ）が、同一のＰＣＩを持つ他のホームｅＮＢに対しても重複してＨＯリクエストを送信してしまうという従来の問題に対して、端末装置１がＨＯしたいホームｅＮＢのＣＧＩを測定レポートに付加して基地局装置２（マクロｅＮＢ）に送信することで、適切なホームｅＮＢにのみＨＯリクエストが送られるようにすることができる。
【００３９】
（第２の実施の形態）
本発明の第２の実施の形態の無線通信システムについて、図７〜図１０を用いて説明する。ここでは、第１の実施の形態と相違する点を中心に説明する。したがって、ここで特に言及しない限り、第２の実施の形態の構成および動作は、第１の実施の形態と同様である。
【００４０】
本実施の形態では、基地局装置２（マクロｅＮＢ）のネットワークポリシが、確実なハンドオーバをサポートしておらず、かつ、アクセス許可の有無に係らずハンドオーバを行うアグレッシブなものであることを前提とする。すなわち、本実施の形態は、いわゆるリリース８のアグレッシブな基地局装置２（マクロｅＮＢ）を前提としているともいえる。この基地局装置２（マクロｅＮＢ）のネットワークポリシは、基地局装置２（マクロｅＮＢ）の報知情報に含まれ、報知制御チャネル（Broadcast Control Channel：BCCH）によってマクロセル全体に送られる。あるいは、基地局装置２（マクロｅＮＢ）のネットワークポリシは、メジャメントコントロールメッセージに含まれ、個別制御チャネルによって端末装置１に個別に送られる。
【００４１】
図７は、本実施の形態の端末装置１の構成を示すブロック図である。本実施の形態の端末装置１では、第１の実施の形態の構成に、ネットワークポリシ識別部１７と位置情報記憶部１８が追加されている。
【００４２】
受信部１０は、第１の実施の形態と同様に、パイロットチャネルや同期チャネルをホームｅＮＢから受信し、ＨＯコマンドを基地局装置２（マクロｅＮＢ）から受信する。さらに、この受信部１０は、基地局装置２（マクロｅＮＢ）からネットワークポリシが含まれる報知情報を受信する。また、この受信部１０は、ＧＰＳ機能を備えており、端末の現在位置情報を受信することができる。
【００４３】
ネットワークポリシ識別部１７は、受信部１０から入力される報知情報からネットワークポリシ（リリース８のアグレッシブ）を識別し、判定部１３にその結果を出力する。ＰＣＩ取得部１１は、第１の実施の形態と同様に、同期チャネルの情報からＰＣＩを取得し、取得したＰＣＩを、判定部１３と測定レポート作成部１５と位置情報記憶部１８に出力する。
【００４４】
位置情報記憶部１８は、受信部１０から入力された端末の位置情報（例えば緯度・経度の情報）やＰＣＩ取得部１１から入力されたＰＣＩなどを対応付けて、以前にアクセスしたことのあるＣＳＧセルのｆｉｎｇｅｒｐｒｉｎｔ情報として記憶する。この情報（ｆｉｎｇｅｒｐｒｉｎｔ情報）は、判定部１３に出力される。
【００４５】
判定部１３は、ネットワークポリシ識別部１７から出力された情報に基づいて、基地局装置２（マクロｅＮＢ）がリリース８のアグレッシブなマクロｅＮＢであると判定されると、ＰＣＩ取得部１１から入力されたＰＣＩと位置情報記憶部１８から入力されたｆｉｎｇｅｒｐｒｉｎｔ情報に基づいて、測定したホームｅＮＢがアクセス可能なＣＳＧセル（端末がアクセス可能なＣＳＧセル）のものであるかどうかを判定する。
【００４６】
例えば、測定したホームｅＮＢのＰＣＩと端末装置１の現在位置情報とｆｉｎｇｅｒｐｒｉｎｔ情報（以前にアクセスしたことのあるＣＳＧセルのＰＣＩと位置情報）に基づいて、端末装置１からそのホームｅＮＢまでの距離を算出し、その距離が所定の基準距離（例えば数１０ｍ〜数１００ｍ）以下である場合には、端末装置１がアクセス可能なＣＳＧセルである確率が高いと判定される。一方、その距離が所定の基準距離より大きい場合には、端末装置１がアクセス可能なＣＳＧセルでない確率が高いと判定される。
【００４７】
このような判定の結果、測定したホームｅＮＢが、アクセス可能なＣＳＧセルである（端末装置１が行きたいＣＳＧセルである）確率が高い場合には、ホワイトリスト記憶部１２から入力された情報に基づいて、端末装置１がアクセス可能なＣＳＧセルのＣＧＩを割り出し、測定レポート作成部１５に出力する。一方、上記判定の結果、測定したホームｅＮＢが、アクセス可能なＣＳＧセルでない（端末が行きたいＣＳＧセルでない）確率が高い場合には、自分が行きたくないＣＳＧセルであることを通知するフラグ（ｎｏｎ  ＣＳＧ  ｆｌａｇ）を付加した測定レポートを作成する指示を、測定レポート作成部１５に出力する。もしくは、マクロセルの他の周波数（例えばｆ２）を測定する（ｉｎｔｅｒ−ｆｒｅｑｕｅｎｃｙ）指示を測定部１４に出力する。
【００４８】
測定部１４は、第１の実施の形態と同様、受信部１０から入力されたパイロットチャネルに基づいて受信品質を測定し、その結果を測定レポート作成部１５に出力する。また、この測定部１４は、判定部１３からのｉｎｔｅｒ−ｆｒｅｑｕｅｎｃｙ指示の入力に基づいて、マクロセルの他の周波数（例えばｆ２）の測定を開始する。
【００４９】
図８は、本実施の形態の基地局装置２の構成を示すブロック図である。本実施の形態の端末装置１では、第１の実施の形態の構成に、ネットワークポリシ記憶部２５と報知情報生成部２６と測定制御情報生成部２７が追加されている。
【００５０】
ネットワークポリシ記憶部２５は、基地局装置２（マクロｅＮＢ）のネットワークポリシ（リリース８のアグレッシブ）の情報を記憶する。そのネットワークポリシの情報は、報知情報生成部２６に入力される。報知情報生成部２６は、ネットワークポリシ記憶部２５から出力された情報を含んだ報知情報を生成する。生成された報知情報は、送信部２０に入力される。
【００５１】
判定部２３は、第１の実施の形態と同様、端末装置１からの測定レポートとＣＳＧセルリストを比較して、端末装置１からの測定レポートに含まれるＰＣＩに該当するＣＳＧセルをリストから抽出し、該当するＣＳＧセルに対するＨＯリクエストを作成指示を、ＨＯリクエスト生成部２４に出力する。また、この判定部２３は、端末装置１からの測定レポートに「ｎｏｎ  ＣＳＧ  ｆｌａｇ」が含まれていた場合に、マクロセルの他の周波数（例えばｆ２）を測定（ｉｎｔｅｒ−ｆｒｅｑｕｅｎｃｙ）する指示が含まれたメジャメントコントロールを作成する指示を、測定制御情報生成部２７に入力する。
【００５２】
測定制御情報生成部２７は、この判定部２３からの指示を受けて、マクロセルの他の周波数（例えばｆ２）を測定する指示を含んだメジャメントコントロールを作成する。作成されたメジャメントコントロールメッセージは、送信部２０に入力される。送信部２０は、報知情報生成部２６から入力された報知情報、ＨＯリクエスト生成部２４から入力されたＨＯリクエスト、測定制御情報生成部２７から入力されたメジャメントコントロールメッセージなどを、端末装置１に送信する。
【００５３】
以上のように構成された無線通信システムについて、図９〜図１１を用いてその動作を説明する。
【００５４】
図９および図１０は、本実施の形態の無線通信システム全体の動作の流れを示すシーケンス図である。まず、図９を参照して、端末装置１が取得したＰＣＩとｆｉｎｇｅｒｐｒｉｎｔの情報から、測定したホームｅＮＢが自分のアクセス可能なホームｅＮＢである確率が高いと判定される場合の動作について説明する。
【００５５】
図９に示すように、端末装置１は、基地局装置２（マクロｅＮＢ）から報知情報（ＢＣＣＨ）を受信し、基地局装置２（マクロｅＮＢ）のネットワークポリシを識別する（Ｓ３０）。この場合、基地局装置２（マクロｅＮＢ）のネットワークポリシは、リリース８のアグレッシブなｅＮＢであると識別される。
【００５６】
端末装置１は、ホームｅＮＢ（ホームｅＮＢ１）の受信品質測定を行い（Ｓ３１）、ＰＣＩ（ここでは、ＰＣＩ＃２）を取得する。端末装置１は、以前にキャンプオンしたことのあるＣＳＧセルのＰＣＩと位置情報（ｆｉｎｇｅｒｐｒｉｎｔ情報）を保持しており、この場合、端末装置１が取得したＰＣＩとｆｉｎｇｅｒｐｒｉｎｔの情報から、測定したホームｅＮＢ（ホームｅＮＢ１）が自分のアクセス可能なホームｅＮＢである確率が高いと判定される。
【００５７】
そして、端末装置１は、受信品質測定を行ったホームｅＮＢ（ホームｅＮＢ１）のＰＣＩと、そのＰＣＩに対応するアクセス可能なＣＳＧセル（行きたいＣＳＧセル）のＣＧＩ（ここではＣＧＩ＃３）を、受信品質の測定結果に付加し、その測定レポートＭＲ（ＰＣＩ＃２、ｉｆ  ＣＧＩ＃３）を基地局装置２（マクロｅＮＢ）へ通知する（Ｓ３２）。
【００５８】
基地局装置２（マクロｅＮＢ）は、マクロセル内に含まれるＣＳＧセルのリストから、端末装置１から通知された「ＰＣＩ」及び「ｉｆ  ＣＧＩ」を持つホームｅＮＢ（ここではホームｅＮＢ１）を判別し、ＭＭＥ／ＧＷを介して、ホームｅＮＢ１に対してＨＯリクエストを送信する（Ｓ３３）。ＨＯリクエストを受信したホームｅＮＢ１は、端末装置１のハンドオーバを許可する場合、端末装置１に提供しているサービスに見合った無線リソースを予め確保し、受け入れ制御を行い、基地局装置２（マクロｅＮＢ）に対してＨＯリクエストに対するＡｃｋを、ＭＭＥ／ＧＷを介して送信する（Ｓ３４）。
【００５９】
基地局装置２（マクロｅＮＢ）は、ホームｅＮＢ１からのＨＯリクエストに対するＡｃｋを受信すると、端末装置１に対してＣＳＧセル１に移動するように指示するＨＯコマンドを送信し（Ｓ３５）、端末装置１は、指示されたホームｅＮＢにランダムアクセスプリアンブルを送信する（Ｓ３６）。ホームｅＮＢからランダムアクセスレスポンスが送信されて（Ｓ３７）、同期が確立された後、端末装置１は、ＨＯコンファームをホームｅＮＢ１に対して送信する（Ｓ３８）。
【００６０】
つぎに、図１０を参照して、端末装置１が取得したＰＣＩとｆｉｎｇｅｒｐｒｉｎｔの情報から、測定したホームｅＮＢが自分のアクセス可能なホームｅＮＢでない確率が高いと判定される場合の動作について説明する。
【００６１】
図１０に示すように、端末装置１は、基地局装置２（マクロｅＮＢ）から報知情報（ＢＣＣＨ）を受信し、基地局装置２（マクロｅＮＢ）のネットワークポリシを識別する（Ｓ４０）。この場合も、基地局装置２（マクロｅＮＢ）は、リリース８のアグレッシブなｅＮＢであると識別される。
【００６２】
端末装置１はホームｅＮＢ（ホームｅＮＢ２）の受信品質測定を行い（Ｓ４１）、ＰＣＩ（ここでは、ＰＣＩ＃２）を取得する。端末装置１は、以前にキャンプオンしたことのあるＣＳＧセルのＰＣＩと位置情報（ｆｉｎｇｅｒｐｒｉｎｔ情報）を保持しており、この場合、端末装置１が取得したＰＣＩとｆｉｎｇｅｒｐｒｉｎｔの情報から、測定したホームｅＮＢ（ホームｅＮＢ２）が自分のアクセス可能なホームｅＮＢでない確率が高いと判定される。
【００６３】
例えば、端末装置１が、高度な自己判断機能を備えていない場合（例えば、リリース８端末である場合）には、受信品質測定を行ったホームｅＮＢ（ホームｅＮＢ２）のＰＣＩと、そのＰＣＩに対応するＣＳＧセルはアクセス可能なＣＳＧセルでない（行きたいＣＳＧセルではない）ことを通知するフラグ「ｎｏｎ  ＣＳＧ  ｆｌａｇ」を、受信品質の測定結果に付加し、その測定レポートＭＲ（ＰＣＩ＃２、ｎｏｎ  ＣＳＧ  ｆｌａｇ）を基地局装置２（マクロｅＮＢ）へ通知する（Ｓ４２）。
【００６４】
基地局装置２（マクロｅＮＢ）は「ｎｏｎ  ＣＳＧ  ｆｌａｇ」の付加された測定レポートを受信すると、マクロセルの他の周波数（例えばｆ２）を測定する（ｉｎｔｅｒ−ｆｒｅｑｕｅｎｃｙ）ことを端末装置１に指示するメジャメントコントロールメッセージを端末装置１に送信する（Ｓ４３）。端末装置１は、このメジャメントコントロールメッセージを基地局装置２（マクロｅＮＢ）から受信すると、マクロセルの他の周波数（例えばｆ２）の測定を開始し（Ｓ４４）、基地局装置２（マクロｅＮＢ）に測定レポートを送信する（Ｓ４５）。
【００６５】
また、端末装置１が高度な自己判断機能を備えている場合（リリース９端末である場合）には、測定したＣＳＧセルが自分のアクセス可能なＣＳＧではないと予測した時点で、自動的にマクロセルの他の周波数（例えばｆ２）の測定（ｉｎｔｅｒ−ｆｒｅｑｕｅｎｃｙ）を開始し（Ｓ４４）、基地局装置２（マクロｅＮＢ）に測定レポートを送信する（Ｓ４５）。
【００６６】
図１１は、本実施の形態の端末装置１の動作の流れを示すフロー図である。図１１に示すように、まず、端末装置１は、基地局装置２（マクロｅＮＢ）から報知情報に含まれるネットワークポリシを受信する（Ｓ５０）。つぎに、端末装置１は、ホームｅＮＢのパイロットチャネルの受信品質測定を行い（Ｓ５１）、その結果、ホワイトリストに含まれるホームｅＮＢのＰＣＩを持つＣＧＩセルが、最も受信品質のよいベストセルだった場合に（Ｓ５２）、ネットワークポリシの判定を行う。
【００６７】
ネットワークポリシの判定の結果、基地局装置２（マクロｅＮＢ）がリリース８のアグレッシブなマクロｅＮＢであると判定された場合（Ｓ５３）、取得したＰＣＩとｆｉｎｇｅｒｐｒｉｎｔ情報を用いて、端末装置１がアクセス可能なホームｅＮＢかどうかの判定を行う（Ｓ５４）。端末装置１がアクセス可能なＣＳＧセルである確率が高いと判定された場合、端末装置１がアクセス可能なＣＳＧセルのＣＧＩ（ｉｆ  ＣＧＩ）を含む測定レポートを作成し、その測定レポートを基地局装置２（マクロｅＮＢ）に送信する（Ｓ５５）。
【００６８】
端末装置１がアクセス可能なＣＳＧセルではない確率が高いと判定された場合であって、かつ、端末装置１が高度な自己判断機能を備えている場合（例えば、リリース９端末である場合）には（Ｓ５６）、測定レポートを送信せずに、基地局装置２（マクロｅＮＢ）の別周波数（ｉｎｔｅｒ−ｆｒｅｑｕｅｎｃｙ）の受信品質測定を開始する（Ｓ５７）。
【００６９】
一方、端末装置１が高度な自己判断機能を備えていない場合（例えば、リリース８端末である場合）には、アクセス可能なＣＳＧセルではないことを通知するフラグを含んだ測定レポートを作成し、その測定レポートを基地局装置２（マクロｅＮＢ）に送信する（Ｓ５８）。
【００７０】
このような第２の実施の形態の無線通信システムによっても、第１の実施の形態と同様の作用効果が奏される。
【００７１】
本実施の形態は、リリース８のアグレッシブな基地局装置２（マクロｅＮＢ）を前提としており、この場合、測定レポートで端末がアクセス可能なＣＳＧセルのＣＧＩ（ｉｆ  ＣＧＩ）を送ると、端末装置１が本当にアクセス可能なＣＳＧセルであるかどうかに関わらず、ＨＯを指示されることが想定される。すなわち、リリース８のアグレッシブなマクロｅＮＢでは、端末装置１はホワイトリストにないホームｅＮＢへのＨＯプロシジャを開始し、不要なシグナリングが発生するという問題が起こることが考えられる。また、実施の形態１と同じく、測定レポートでＰＣＩのみを送ると、複数のホームｅＮＢにＨＯリクエストを送ってしまう問題が発生するおそれがある。
【００７２】
そこで、本実施の形態では、基地局装置２（マクロｅＮＢ）のネットワークポリシによって、測定レポートを受けた時の動作が異なることに対し、基地局装置２（マクロｅＮＢ）のネットワークポリシに応じて、測定レポートで送る情報を決定することで、不要なシグナリングの発生や測定レポートのメッセージサイズ増大を削減することができる。
【００７３】
具体的には、本実施の形態の無線通信システムによれば、基地局装置２（マクロｅＮＢ）がリリース８のアグレッシブなマクロｅＮＢである場合には、端末装置１がｆｉｎｇｅｒｐｒｉｎｔによる位置情報を利用して、端末装置１側である程度の確信を持ってから測定レポートで「ｉｆ  ＣＧＩ」を送る。これにより、ホワイトリストにないＣＳＧセルへのＨＯを指示されるといった不要なシグナリングの発生を削減することができる。このように、端末装置１からの受信品質測定結果を受信した時の基地局装置２（マクロｅＮＢ）の対応を考慮し、基地局装置２（マクロｅＮＢ）のネットワークポリシに応じて、適切な受信品質測定結果を送信することにより、シグナリングオーバヘッドを削減することができる。
【００７４】
（第３の実施の形態）
本発明の第３の実施の形態の無線通信システムについて、図１２〜図１５を用いて説明する。ここでは、第２の実施の形態と相違する点を中心に説明する。したがって、ここで特に言及しない限り、第３の実施の形態の構成および動作は、第２の実施の形態と同様である。
【００７５】
本実施の形態では、基地局装置２（マクロｅＮＢ）のネットワークポリシが、確実なハンドオーバをサポートしておらず、かつ、アクセス許可の有無に係らずハンドオーバを行わないノンアグレッシブなものであることを前提とする。すなわち、本実施の形態は、いわゆるリリース８のノンアグレッシブなマクロｅＮＢを前提としているともいえる。
【００７６】
図１２は、本実施の形態の端末装置１の構成を示すブロック図である。本実施の形態の端末装置１には、位置情報記憶部１８が備えられていない。また、本実施の形態では、判定部１３は、ネットワークポリシ識別部１７から出力された情報に基づいて、基地局装置２（マクロｅＮＢ）がリリース８のノンアグレッシブなマクロｅＮＢであると判定されると、測定したＣＳＧセルのＣＧＩを付加しない測定レポート（測定したＣＳＧセルのＰＣＩと受信品質測定結果を含む測定レポート）を作成する指示を、測定レポート作成部１５に出力する。なお、この処理は、端末装置１が、高度な自己判断機能を備えていない場合（例えば、リリース８端末である場合）に行われる。端末装置１が、度な自己判断機能を備えている場合（例えば、リリース９端末である場合）には、マクロセルの他の周波数（例えばｆ２）を測定する（ｉｎｔｅｒ−ｆｒｅｑｕｅｎｃｙ）指示を測定部１４に出力する。
【００７７】
図１３は、本実施の形態の基地局装置２の構成を示すブロック図である。本実施の形態の基地局装置２には、ＣＳＧセルリスト記憶部２２が備えられていない。また、本実施の形態では、ネットワークポリシ記憶部２５は、基地局装置２（マクロｅＮＢ）のネットワークポリシ（リリース８のノンアグレッシブ）の情報を記憶している。また、判定部２３は、受信部２１から出力された端末装置１からの測定レポートに含まれたＰＣＩから、測定したセルがマクロセルではない（ＣＳＧセルである）と判定すると、マクロセルの他の周波数（例えばｆ２）を測定（ｉｎｔｅｒ−ｆｒｅｑｕｅｎｃｙ）する指示が含まれたメジャメントコントロールメッセージを作成する指示を、測定制御情報生成部２７に入力する。
【００７８】
以上のように構成された無線通信システムについて、図１４および図１５を用いてその動作を説明する。
【００７９】
図１４は、本実施の形態の無線通信システム全体の動作の流れを示すシーケンス図である。図１４に示すように、端末装置１は、基地局装置２（マクロｅＮＢ）から報知情報（ＢＣＣＨ）を受信し、基地局装置２（マクロｅＮＢ）のネットワークポリシを識別する（Ｓ６０）。この場合、基地局装置２（マクロｅＮＢ）のネットワークポリシは、リリース８のノンアグレッシブなｅＮＢであると識別される。
【００８０】
端末装置１は、ホームｅＮＢ（ホームｅＮＢ１）の受信品質測定を行い（Ｓ６１）、ＰＣＩ（ここでは、ＰＣＩ＃２）を取得する。このとき、取得したＰＣＩと端末装置１が保持しているホワイトリストから、測定したセルがＣＳＧセルであることが判定できる。また、基地局装置２（マクロｅＮＢ）のネットワークポリシより、基地局装置２（マクロｅＮＢ）がＣＳＧセルのリストを保持していないことが判定できる。
【００８１】
例えば、端末装置１が、高度な自己判断機能を備えていない場合（例えば、リリース８端末である場合）には、受信品質の測定を行ったホームｅＮＢ１のＰＣＩを付加した受信品質測定結果のみを基地局装置２（マクロｅＮＢ）へ通知する（Ｓ６２）。つまり、測定を行ったホームｅＮＢ１のＣＧＩは、基地局装置２（マクロｅＮＢ）に通知されない。基地局装置２（マクロｅＮＢ）は、端末装置１からの測定レポートを受信すると、マクロセルの他の周波数（例えばｆ２）を測定する（ｉｎｔｅｒ−ｆｒｅｑｕｅｎｃｙ）ことを端末装置１に指示するメジャメントコントロールメッセージを端末装置１に送信する（Ｓ６３）。端末装置１は、基地局装置２（マクロｅＮＢ）からメジャメントコントロールメッセージを受信すると、マクロセルの他の周波数（例えばｆ２）の測定を開始し（Ｓ６４）、基地局装置２（マクロｅＮＢ）に測定レポートを送信する（Ｓ６５）。
【００８２】
また、端末装置１が高度な自己判断機能を備えている場合（リリース９端末である場合）には、測定したセルがＣＳＧセルであり、基地局装置２（マクロｅＮＢ）がリリース８のノンアグレッシブなマクロｅＮＢであると判定した時点で、自動的にマクロセルの他の周波数（例えばｆ２）の測定（ｉｎｔｅｒ−ｆｒｅｑｕｅｎｃｙ）を開始し（Ｓ６４）、基地局装置２（マクロｅＮＢ）に測定レポートを送信する（Ｓ６５）。
【００８３】
図１５は、本実施の形態の端末装置１の動作の流れを示すフロー図である。図１５に示すように、まず、端末装置１は、基地局装置２（マクロｅＮＢ）から報知情報に含まれるネットワークポリシを受信する（Ｓ７０）。つぎに、端末装置１は、ホームｅＮＢのパイロットチャネルの受信品質測定を行い（Ｓ７１）、その結果、ホワイトリストに含まれるホームｅＮＢのＰＣＩを持つＣＧＩセルが、最も受信品質のよいベストセルだった場合に（Ｓ７２）、ネットワークポリシの判定を行う。
【００８４】
ネットワークポリシの判定の結果、基地局装置２（マクロｅＮＢ）がリリース８のノンアグレッシブなマクロｅＮＢであると判定された場合（Ｓ７３）であって、端末装置１が高度な自己判断機能を備えている場合（例えば、リリース９端末である場合）には（Ｓ７４）、測定レポートを送信せずに、基地局装置２（マクロｅＮＢ）の別周波数（ｉｎｔｅｒ−ｆｒｅｑｕｅｎｃｙ）の受信品質測定を開始する（Ｓ７５）。
【００８５】
一方、端末装置１が高度な自己判断機能を備えていない場合（例えば、リリース８端末である場合）には、ＣＳＧセルのＰＣＩのみが付加された測定レポート（ＣＳＧセルのＣＧＩが付加されていない測定レポート）を作成し、その測定レポートを基地局装置２（マクロｅＮＢ）に送信する（Ｓ７６）。
【００８６】
このような第３の実施の形態の無線通信システムによっても、第１の実施の形態と同様の作用効果が奏される。
【００８７】
本実施の形態は、リリース８のノンアグレッシブなマクロｅＮＢを前提としており、この場合、基地局装置２（マクロｅＮＢ）がＣＳＧセルのＨＯを完全にサポートしておらず、基地局装置２（マクロｅＮＢ）はマクロセル内に含まれるホームｅＮＢのリストを保持していないことが考えられる。このとき、端末装置１が測定レポートで端末がアクセス可能なＣＳＧセルのＣＧＩ（ｉｆ  ＣＧＩ）を送っても、基地局装置２（マクロｅＮＢ）はＣＳＧセルのリストを持っていないので対応できず、不要な情報による測定レポートのメッセージサイズ増大という問題が発生する。
【００８８】
そこで、本実施の形態では、メジャメントの際に取得したホームｅＮＢのＰＣＩのみを測定レポートで送ることで、測定レポートのメッセージサイズを最小限に抑えることができる。
【００８９】
具体的には、本実施の形態の無線通信システムによれば、基地局装置２（マクロｅＮＢ）がリリース８のノンアグレッシブなマクロｅＮＢである場合に、端末装置１がメジャメントの際に取得したホームｅＮＢのＰＣＩのみを測定レポートで送ることで、測定レポートのメッセージサイズを最小限に抑えることができる。
【００９０】
なお、基地局装置２（マクロｅＮＢ）は、ＭＭＥ／ＧＷから受信したＣＳＧセルリストを保持していてもよい。この場合、ＣＳＧセルリストに同一のＰＣＩを持つＣＳＧセルが複数存在するときには、基地局装置２（マクロｅＮＢ）は同様の動作を行ってもよい。また、ＣＳＧセルリストに同一のＰＣＩを持つＣＳＧセルが１つしか存在しない場合は、該当するホームｅＮＢに対してＨＯリクエストを送信してもよい。
【００９１】
（第４の実施の形態）
本発明の第４の実施の形態の無線通信システムについて、図１６〜図１９を用いて説明する。ここでは、第２の実施の形態と相違する点を中心に説明する。したがって、ここで特に言及しない限り、第４の実施の形態の構成および動作は、第２の実施の形態と同様である。
【００９２】
本実施の形態では、基地局装置２（マクロｅＮＢ）のネットワークポリシが、確実なハンドオーバをサポートしているものであることを前提とする。すなわち、本実施の形態は、いわゆるリリース９のマクロｅＮＢを前提としているともいえる。
【００９３】
図１６は、本実施の形態の端末装置１の構成を示すブロック図である。本実施の形態の端末装置１には、位置情報記憶部１８が備えられておらず、ＤＲＸ制御部１９が追加されている。ＤＲＸ（Discontinuous Reception）とは、端末装置１が、受信電力消費の抑制のために、受信データが不連続な場合には間欠的にデータを受信するという制御である。ＤＲＸにはロングＤＲＸとショートＤＲＸがあり、それぞれデータを受信しない期間が違う。データを受信しない期間が長いほど、端末装置１の電力消費が抑えられるため、長期間データの受信がない場合にはロングＤＲＸが用いられる。端末装置１は、基地局装置２とコネクションを張る時に、ＤＲＸの実行及びロングＤＲＸとショートＤＲＸのどちらを用いるかを指示される。基地局装置２からの指示がない場合は、端末装置１はＤＲＸを実行しない。また、本実施の形態では、判定部１３は、ネットワークポリシ識別部１７から出力された情報に基づいて、基地局装置２（マクロｅＮＢ）がリリース９のマクロｅＮＢであると判定されると、端末がロングＤＲＸを実行している場合に、ＣＳＧセルのＢＣＣＨを受信し、ＣＧＩを取得する指示を測定部１４に入力する。一方、端末がロングＤＲＸを実行していない場合には、判定部１３は、測定したＣＳＧセルのＰＣＩと受信品質測定結果を含む測定レポートを作成する指示を、測定レポート作成部１５に出力する。また、判定部１３は、受信部１０から出力されたメジャメントコントロールメッセージの指示に基づいて、ＤＲＸ制御部１９にロングＤＲＸの実行の指示を入力する、あるいは、マクロセルの他の周波数（例えばｆ２）を測定する（ｉｎｔｅｒ−ｆｒｅｑｕｅｎｃｙ）指示を測定部１４に出力する。また、ＤＲＸ制御部１９は、判定部１３からの出力に従って、ロングＤＲＸの実行を開始する。
【００９４】
図１７は、本実施の形態の基地局装置２の構成を示すブロック図である。本実施の形態の基地局装置２には、ＤＲＸ変更指示部２８が追加されている。また、本実施の形態では、ネットワークポリシ記憶部２５は、基地局装置２（マクロｅＮＢ）のネットワークポリシ（リリース９）の情報を記憶している。判定部２３は、受信部２１から出力された端末装置１からの測定レポートにＰＣＩとＣＧＩが付加されていた場合、ＣＳＧセルリスト記憶部２２から出力されたＣＳＧセルリストと比較して、端末装置１からの測定レポートに含まれるＰＣＩとＣＧＩの組み合わせに該当するＣＳＧセルをリストから抽出し、該当するＣＳＧセルに対するＨＯリクエストの作成指示を、ＨＯリクエスト生成部２４に出力する。また、判定部２３は、端末装置１からの測定レポートにＣＧＩが付加されていない場合に、端末装置１に対するロングＤＲＸ実行指示をＤＲＸ変更指示部２８に入力する、もしくは、マクロセルの他の周波数（例えばｆ２）を測定（ｉｎｔｅｒ−ｆｒｅｑｕｅｎｃｙ）する指示を含んだメジャメントコントロールメッセージを作成する指示を測定制御情報生成部２７に入力する。
【００９５】
ＤＲＸ変更指示部２８は、判定部２３からの指示を受けて、測定制御情報生成部２７に、ロングＤＲＸ実行の指示を含んだメジャメントコントロールメッセージを作成する指示を入力する。測定制御情報生成部２７は、判定部２３からの指示を受けて、マクロセルの他の周波数（例えばｆ２）を測定する指示が含まれるメジャメントコントロールメッセージを作成し、送信部２０に入力する。また、判定部２３及びＤＲＸ変更指示部２８からの指示を受けて、ロングＤＲＸ実行の指示を含んだメジャメントコントロールメッセージを作成し、送信部２０に入力する。
【００９６】
以上のように構成された無線通信システムについて、図１８および図１９を用いてその動作を説明する。
【００９７】
図１８は、本実施の形態の無線通信システム全体の動作の流れを示すシーケンス図である。図１８に示すように、端末装置１は、基地局装置２（マクロｅＮＢ）から報知情報（ＢＣＣＨ）を受信し、基地局装置２（マクロｅＮＢ）のネットワークポリシを識別する（Ｓ８０）。この場合、基地局装置２（マクロｅＮＢ）のネットワークポリシは、リリース９のｅＮＢであると識別される。
【００９８】
端末装置１は、ホームｅＮＢ（ホームｅＮＢ１）の受信品質測定を行い（Ｓ８１）、ＰＣＩ（ここでは、ＰＣＩ＃２）を取得する。そして、端末装置１がロング間欠受信（Discontinuous Reception: ＤＲＸ）を実行しているか否かの判定が行われる（Ｓ８２）。
【００９９】
端末装置１がロングＤＲＸを実行していないと判定された場合、端末装置１は、測定したＣＳＧセルのＰＣＩのみを受信品質の測定結果に付加し、その測定レポートＭＲ（ＰＣＩ＃２）を基地局装置２（マクロｅＮＢ）に送信する。基地局装置２（マクロｅＮＢ）は、この測定レポートを端末装置１から受信すると、端末装置１にロングＤＲＸを実行してＣＳＧセルのＣＧＩを取得する（ＢＣＣＨを受信する）ことを指示するメジャメントコントロールメッセージを送信する（Ｓ８４）。なお、基地局装置２（マクロｅＮＢ）は、その代わりに、マクロセルの他の周波数（例えばｆ２）を測定する（ｉｎｔｅｒ−ｆｒｅｑｕｅｎｃｙ）ことを指示するメジャメントコントロールメッセージを送信してもよい。
【０１００】
端末装置１がロングＤＲＸを実行していると判定された場合、端末装置１は、取得したＰＣＩとホワイトリストから、測定したセルがＣＳＧセルであると判定した時点で、自動的にＣＳＧセルのＢＣＣＨを受信し、ＣＧＩを取得する（Ｓ８５）。そして、端末装置１は、ＰＣＩとＣＧＩを付加した測定レポートＭＲ（ＰＣＩ＃２、ＣＧＩ＃３）を作成して、基地局装置２（マクロｅＮＢ）に送信する（Ｓ８６）。
【０１０１】
基地局装置２（マクロｅＮＢ）は、端末装置１からの測定レポートを受信すると、測定レポートに付加されたＰＣＩ及びＣＧＩと、保持しているＣＳＧセルのリストから該当するＣＳＧセルを割り出し、該当するＣＳＧセルのホームｅＮＢ（ホームｅＮＢ１）に対してＨＯリクエストを送信する（Ｓ８７）。ＨＯリクエストを受信したホームｅＮＢ１は、端末装置１のハンドオーバを許可する場合、端末装置１に提供しているサービスに見合った無線リソースを予め確保し、受け入れ制御を行い、基地局装置２（マクロｅＮＢ）に対してＨＯリクエストに対するＡｃｋを、ＭＭＥ／ＧＷを介して送信する（Ｓ８８）。
【０１０２】
基地局装置２（マクロｅＮＢ）は、ホームｅＮＢ１からのＨＯリクエストに対するＡｃｋを受信すると、端末装置１に対してＣＳＧセル１に移動するように指示するＨＯコマンドを送信し（Ｓ８９）、端末装置１は、指示されたホームｅＮＢにランダムアクセスプリアンブルを送信する（Ｓ８１０）。ホームｅＮＢからランダムアクセスレスポンスが送信されて（Ｓ８１１）、同期が確立された後、端末装置１は、ＨＯコンファームをホームｅＮＢ１に対して送信する（Ｓ８１２）。
【０１０３】
図１９は、本実施の形態の端末装置１の動作の流れを示すフロー図である。図１９に示すように、まず、端末装置１は、基地局装置２（マクロｅＮＢ）から報知情報に含まれるネットワークポリシを受信する（Ｓ９０）。つぎに、端末装置１は、ホームｅＮＢのパイロットチャネルの受信品質測定を行い（Ｓ９１）、その結果、ホワイトリストに含まれるホームｅＮＢのＰＣＩを持つＣＧＩセルが、最も受信品質のよいベストセルだった場合に（Ｓ９２）、ネットワークポリシの判定を行う。
【０１０４】
ネットワークポリシの判定の結果、基地局装置２（マクロｅＮＢ）がリリース９のマクロｅＮＢであると判定された場合（Ｓ９３）、端末装置１がロングＤＲＸを実行しているか否かの判定が行われる（Ｓ９４）。端末装置１がロングＤＲＸを実行している場合には、ＣＳＧセルのＢＣＣＨを受信し、ＣＧＩを取得する（Ｓ９５）。その後、取得したＰＣＩとＣＧＩ及び受信品質測定結果を含んだ測定レポートを作成し、その測定レポートを基地局装置２（マクロｅＮＢ）に送信する（Ｓ９６）。一方、端末装置１がロングＤＲＸを実行していない場合には、ＰＣＩと受信品質測定結果を含んだ測定レポートを作成し、基地局装置２（マクロｅＮＢ）に送信する（Ｓ９７）。
【０１０５】
このような第４の実施の形態の無線通信システムによっても、第１の実施の形態と同様の作用効果が奏される。
【０１０６】
本実施の形態は、リリース９のマクロｅＮＢを前提としており、この場合、基地局装置２（マクロｅＮＢ）がＣＳＧセルへの確実なＨＯをサポートしているので、基地局装置２（マクロｅＮＢ）は端末装置１がアクセス可能なＣＳＧセルであることを確かめてからＨＯを指示することが想定される。従って、端末装置１からホームｅＮＢの測定レポートを受けたら、続いてそのホームｅＮＢのＣＧＩを読むように指示することが考えられる。このとき、最初の測定レポートで端末がアクセス可能なＣＳＧセルのＣＧＩ（ｉｆ  ＣＧＩ）を送っても冗長であり、測定レポートのメッセージサイズ増大という問題が発生するおそれがある。
【０１０７】
そこで、本実施の形態では、最初の測定レポートではメジャメントの際に取得したホームｅＮＢのＰＣＩのみを送ることで、測定レポートのメッセージサイズを最小限に抑えることができる。
【０１０８】
具体的には、本実施の形態の無線通信システムによれば、基地局装置２（マクロｅＮＢ）がリリース９のマクロｅＮＢである場合、基地局装置２（マクロｅＮＢ）は端末装置１からホームｅＮＢの測定レポートを受けたら、続いてそのホームｅＮＢのＣＧＩを読むように指示することを考慮して、最初の測定レポートではメジャメントの際に取得したホームｅＮＢのＰＣＩのみを送る。これにより、測定レポートのメッセージサイズを最小限に抑えることができる。
【０１０９】
以上、本発明の実施の形態を例示により説明したが、本発明の範囲はこれらに限定されるものではなく、請求項に記載された範囲内において目的に応じて変更・変形することが可能である。
【０１１０】
例えば、以上の説明では、基地局装置２（マクロｅＮＢ）が報知情報によってシステム全体にネットワークポリシを送信する場合について例示したが、本発明の範囲はこれに限定されるものではなく、基地局装置２（マクロｅＮＢ）は、メジャメントコントロールメッセージによって端末装置１に個別にネットワークポリシを送信してもよい。
【産業上の利用可能性】
【０１１１】
以上のように、本発明にかかる無線送受信装置は、無駄なシグナリングが発生するのを抑え、不要なリソースが確保されるのを防ぐことができるという効果を有し、マクロセルからＣＳＧセルへのハンドオーバ技術等に使用され、有用である。
【符号の説明】
【０１１２】
１  端末装置（ＵＥ）
２  基地局装置（マクロｅＮＢ）
１０  受信部
１１  ＰＣＩ取得部
１２  ホワイトリスト記憶部
１３  判定部
１４  測定部
１５  測定レポート作成部
１６  送信部
１７  ネットワークポリシ識別部
１８  位置情報記憶部
１９  ＤＲＸ制御部
２０  送信部
２１  受信部
２２  ＣＳＧセルリスト記憶部
２３  判定部
２４  ＨＯリクエスト生成部
２５  ネットワークポリシ記憶部
２６  報知情報生成部
２７  測定制御情報生成部
２８  ＤＲＸ変更指示部
【図１】
0005410591.tif 000002
【図２】
0005410591.tif 000003
【図３】
0005410591.tif 000004
【図４】
0005410591.tif 000005
【図５】
0005410591.tif 000006
【図６】
0005410591.tif 000007
【図７】
0005410591.tif 000008
【図８】
0005410591.tif 000009
【図９】
0005410591.tif 000010
【図１０】
0005410591.tif 000011
【図１１】
0005410591.tif 000012
【図１２】
0005410591.tif 000013
【図１３】
0005410591.tif 000014
【図１４】
0005410591.tif 000015
【図１５】
0005410591.tif 000016
【図１６】
0005410591.tif 000017
【図１７】
0005410591.tif 000018
【図１８】
0005410591.tif 000019
【図１９】
0005410591.tif 000020